(57)【要約】      （修正有）【課題】特にリチウムバッテリーを収納する携帯電話の損傷や爆発事故を未然に防止するための強化プラスチックで構成されるガードプレートを備えた防爆型携帯電話を提供する。【解決手段】前面ガードプレートと内側にバッテリー収納部４を有する背面ガードプレート３が、嵌め殺し構造によって水密状態に構成されていることを特徴とし、前面ガードプレートおよび背面ガードプレート３との周縁部が凸条又は凹条に形成され、相互に嵌着されるように構成された構成された嵌殺し構造を有することを特徴とし、前面ガードプレートおよび背面ガードプレート３が、それぞれ強化プラスチックで一体的に形成されていることを特徴とし、バッテリー収納部４を構成する立ち上がり仕切り壁４１が、背面ガードプレート３と一体的に形成されていることを特徴とし、且つ、背面ガードプレート３の側面部に感圧防爆弁を付設したことを特徴とする防爆型携帯電話を提供する。【選択図】図３
0003187012.tif 000002
【実用新案登録請求の範囲】
【請求項１】
表示面を有する前面ガードプレートと内側にバッテリー収納部を有する背面ガードプレートが、嵌め殺し構造によって水密状態に構成されていることを特徴とする防爆型携帯電話。
【請求項２】
前面ガードプレートおよび背面ガードプレートとの周縁部が凸条又は凹条に形成され、相互に嵌着されるように構成された構成された嵌殺し構造を有することを特徴とする請求項１記載の防爆型携帯電話。
【請求項３】
前面ガードプレートおよび背面ガードプレートが、それぞれ強化プラスチックで一体的に形成されていることを特徴とする請求項１記載の防爆型携帯電話。
【請求項４】
バッテリー収納部を構成する立ち上がり仕切り壁が、背面ガードプレートと一体的に形成されていることを特徴とする請求項１記載の防爆型携帯電話。
【請求項５】
背面ガードプレートの側面部に感圧防爆弁を付設したことを特徴とする請求項１記載の防爆型携帯電話。
【考案の詳細な説明】
【技術分野】
【０００１】  本考案は防爆型携帯電話に関し、特にリチウムバッテリーを収納する携帯電話の損傷や爆発事故を未然に防止するための強化カバーを備えた携帯電話に関するものである。
【背景技術】
【０００２】  近年、携帯電話や小型の電子機器に反復使用できる二次電池が使用されており、アルカリ電池や有機電解液電池であるリチウム電池などが広く使用されている。【０００３】  携帯電話以外にもこれらの二次電池はパソコン、デジカメ、ゲーム機等の小型の電子機器に幅広く利用されている。【０００４】  前記せるような二次電池は過充電や誤使用によって電解液が分解されてガスが発生し、機器の内圧が生じて爆発を生じる懸念もあった。
【先行技術文献】
【０００５】
【特許文献】
【特許文献】  特開平２−１１２１５１号公報  特開２００１−２３５９６号公報
【０００６】  前記せる特開平２−１１２１５１号公報では、電池外装缶の内圧の上昇に伴い内圧方向に変形を生じる防爆弁よりリード板が剥離又は破断して電流を遮断する構造の防爆型密閉電池であり、電池自体を密閉する構造であった。【０００７】  また、前記せる特開２００１−２３５９６号公報でも、電池外装缶の封口板に安全弁を設け、防爆圧で作動する厚さに形成したものであった。【０００８】  前記公報のいずれの場合も電池自体を収納する専用パッケージに安全弁を設けた構造であって、これらのパッケージを携帯電話や他の電子機器等へ収納するにはパッケージ自体の収納構造を形成しなければならなかった。【０００９】  これに対し、本考案の構造では専用の電池収納パッケージを設け、これらを携帯電話や他の電子機器等へ収納する構造ではなく、携帯電話や他の電子機器等のガードプレートを予め強化プラスチックで形成し、該ガードプレートに一体的にバッテリー収納部を形成した構造である。
【考案の概要】
【考案が解決しようとする課題】
【００１０】  二次電池を収納する電子機器で過充電や誤使用によって電解液が分解されてガスが発生し、電池自体又は電子機器の内圧が生じて電池のパッケージが膨らんでしまったり、又は落下等により損傷したり、急激な内圧の膨張によって爆発を生じることがあった。【００１１】  前記せるような従来の問題を解決し、携帯電話や電子機器にリチウム電池のような二次電池を用いても安全に利用できる筺体が求められている。
【課題を解決するための手段】
【００１２】  本考案は前記せる課題を以下の構成によって解決するものである。
すなわち、表示面を有する前面ガードプレートと内側にバッテリー収納部を有する背面ガードプレートが、嵌め殺し構造によって水密状態に構成されていることを特徴とし、前面ガードプレートおよび背面ガードプレートとの周縁部が凸条又は凹条に形成され、相互に嵌着されるように構成された構成された嵌殺し構造を有することを特徴とし、前面ガードプレートおよび背面ガードプレートが、それぞれ強化プラスチックで一体的に形成されていることを特徴とし、バッテリー収納部を構成する立ち上がり仕切り壁が、背面ガードプレートと一体的に形成されていることを特徴とし、且つ、背面ガードプレートの側面部に万一の場合の感圧防爆弁を付設したことを特徴とする防爆型携帯電話を提供する。
【考案の効果】
【００１３】  本考案の防爆型携帯電話は、以上説明したような構成であるので、強化プラスチックで形成された前面ガードプレートと背面ガードプレートとが嵌め殺し構造によって強固に一体的に形成され、且つ、万一の場合の感圧防爆弁が背面ガードプレートの側面に設けられているので、従来のような原因によるリチウム電池の膨張や内圧上昇によって携帯電話本体の損傷を生じることがない。
【図面の簡単な説明】
【００１４】
【図１】  本考案携帯電話の全体斜視図である。
【図２】  前面ガードプレートと背面ガードプレートを分離した斜視図である。
【図３】  背面ガードプレートを内側から見た斜視図である。
【図４】  図３の矢印Ａ−Ａ線の断面図である。
【図５】  嵌め殺し構造の一例を示す拡大断面図である。
【考案を実施するための形態】
【００１５】  図１及び図４に示すように、表示面１０を有する前面ガードプレート２と内側にバッテリー収納部４を有する背面ガードプレート３が、嵌め殺し構造２０によって水密状態に構成されている。
【００１６】  嵌め殺し構造２０は図４及び図５に示すように、前面ガードプレート２の周縁部に凸条２１が形成され、背面ガードプレート３の周縁部に凹条３１が形成されている。
【００１７】  図２のように分離されている前面ガードプレート２と背面ガードプレート３とは、図１乃至図４に示すように一体的に嵌着される。
【００１８】  すなわち、凸条２１と凹条３１とは図４に示すように嵌着され、前面ガードプレート２と背面ガードプレート３とが強固に一体的に嵌着される。
【００１９】  前面ガードプレート２および背面ガードプレート３は、それぞれ強化プラスチックで一体的に形成されている。
【００２０】  前面ガードプレート２および背面ガードプレート３を構成する強化プラスチックとしては種々開発されているが、本考案に利用した実施例としては、ＡＲＫ製強化プラスチック素材（商品名）を利用している。
【００２１】  図３に示すように、バッテリー収納部４を構成する立ち上がり仕切り壁４１が、背面ガードプレート３と一体的に形成されている。
【００２２】  ４辺の立ち上がり仕切り壁４１で構成されたバッテリー収納部４には、バッテリー５が収納される。
【００２３】  また、背面ガードプレート３の側面部には感圧防爆弁６が付設されており、万一の急激な内圧上昇に対応することができる構造になっている。
【産業上の利用可能性】
【００２４】  本考案は以上説明したような構成であるので、携帯電話の外装が、強化プラスチックで形成された前面ガードプレートと背面ガードプレートとの嵌め殺し構造によって強固に一体的に形成され、且つ、万一の場合の感圧防爆弁が背面ガードプレートの側面に設けられているので、従来のような原因によるリチウム電池の膨張や内圧上昇によって携帯電話本体の損傷を生じることがなく、携帯電話を安全に使用することができ、また、携帯電話以外の電子機器にも本考案の構造を応用できるので、産業上の利用可能性が広い。
【符号の説明】
【００２５】  １  携帯電話
２  前面ガードプレート
２１  凸条
３  背面ガードプレート
３１  凹条
４  バッテリー収納部
４１  立ち上り壁
５  バッテリー
５１  円錐形状部
６  感圧防爆弁
１０  表示面
２０  嵌め殺し構造
【図１】
0003187012.tif 000003
【図２】
0003187012.tif 000004
【図３】
0003187012.tif 000005
【図４】
0003187012.tif 000006
【図５】
0003187012.tif 000007